(57)【要約】【課題】ＷＷＷ上でホームページを作成する際に、画像イメージの入力時の特性（スキャナやデジタルカメラ色特性）を考慮して、忠実に再現して表示すると共に、ホームページ上で色処理後の表示を、ＷＷＷ上の標準色空間を介して、ＷＷＷ対応ＴＶで忠実再現する。【解決手段】画像取り込み手段と、前記画像イメージの入力色特性情報を判別する判別手段と、前記判別結果に、基づいて得られた入力色特性情報と表示デバイスの色特性情報を用いてカラーマッチング処理を実行する手段と、前記マッチング結果に色補正を実行する手段と、前記色補正結果に対して、表示デバイスとＷＷＷの標準色空間特性情報を用いてカラーマッチング処理を実行する手段と、前記マッチング結果をもとに画像を生成する手段で構成される。【選択図】        図１
2004192386.tif 000002
【特許請求の範囲】
【請求項１】
画像イメージ取り込み手段と、前記画像イメージの入力色特性情報を判別する判別手段と、前記判別結果に基づいて得られた入力色特性情報と、表示デバイスの色特性情報を用いてカラーマッチング処理を実行する手段と、前記処理結果を表示デバイスに表示する表示手段を有することを特徴とする画像表示方法。
【請求項２】
前記入力色特性情報は入力デバイスプロファイルまたはネットワーク上の標準色空間プロファイル、表示デバイスの色特性情報はモニタプロファイルとするところの請求項１の画像表示方法。
【請求項３】
画像イメージ取り込み手段と、前記画像イメージの入力色特性情報を判別する判別手段と、前記判別結果に基づいて得られた入力色特性情報と、表示デバイスの色特性情報を用いてカラーマッチング処理を実行する手段と、前記カラーマッチング処理結果に対して色補正を実行する手段と、前記色補正結果に対して、表示デバイスの色特性情報とネットワーク上の標準色空間特性情報を用いてカラーマッチング処理を実行する手段と、前記カラーマッチング処理結果をもとに画像を生成する手段を有することを特徴とする画像形成方法。
【請求項４】
前記入力色特性情報は入力デバイスプロファイルまたはネットワーク上の標準色空間プロファイル、表示デバイスの色特性情報はモニタプロファイルとするところの請求項３の画像表示方法。
【発明の詳細な説明】
【０００１】
【発明の属する技術分野】
本発明はＷＷＷ（Ｗｏｒｌｄ  Ｗｉｄｅ  Ｗｅｂ）上で、カラーの入出力デバイスの色特性を考慮してカラーマッチングを行い、忠実な色再現を行う際に必要な画像の表示及び形成に関するものである。
【０００２】
【従来の技術】
ＷＷＷ（Ｗｏｒｌｄ  Ｗｉｄｅ  Ｗｅｂ）上では、ホームページを作成してそれを登録されたホームページのアドレス上において、他のＰＣやＷＷＷ対応ＴＶから閲覧することが可能になっている。
【０００３】
図１は、ＷＷＷ上での上記の仕組みについて説明したものである。
【０００４】
会社のＰＣ上のホームページ作成アプリケーションソフトで作成されたホームページ文書は、ＬＡＮ（Ｌｏｃａｌ  Ａｒｅａ  Ｎｅｔｗｏｒｋ）を通じてプロバイダー（ＷＷＷに接続サービスする会社）に渡り、ＷＷＷに登録される。
【０００５】
このホームページ文書は、プロバイダーを通じて電話回線やＣＡＴＶ（Ｃａｂｌｅ  ＴＶ）等の通信回線を介して、家庭に送られ、家庭内でＷＷＷブラウザ（ＷＷＷ閲覧のためソフト等）を用いてＨＤＴＶ（Ｈｉｇｈ  Ｄｅｆｉｎｉｔｉｏｎ  ＴＶ）等上で、内容を閲覧することができる。
【０００６】
ＨＴＭＬ（Ｈｙｐｅｒ  Ｔｅｘｔ  Ｍａｒｋｕｐ  Ｌａｎｇｕａｇｅ）文書等、ホームページ文書中には、スキャナやデジタルカメラから入力した画像イメージを取り込むことができるため、画像イメージを上記のＨＤＴＶ等の上で見ることができるようになっている。
【０００７】
もちろん、図１のＰＣ上のモニタでも上記と同様に、プロバイダーを通じ、ＬＡＮを介して、ホームページ文書を閲覧することができる。
【０００８】
また、そのイメージ画像のうち、ＰＩＣＴ、ＥＰＳ、ＴＩＦＦ等のフォーマット中には、イメージ入力時に使用したスキャナやデジタルカメラのプロファイル（カラーマッチング処理のための特性データが格納される）を格納できる仕組みがある。
【０００９】
このプロファイルのフォーマットは、ＩＣＣ（Ｉｎｔｅｒｎａｔｉｏｎａｌ  Ｃｏｌｏｒ  Ｃｏｎｓｏｒｔｉｕｍ）が定めたフォーマット（ＩｎｔｅｒＣｏｌｏｌｏｒ  Ｐｒｏｆｉｌｅ  Ｆｏｒｍａｔ）が一般的に使用されている。
【００１０】
【発明が解決しようとする課題】
従来、上記のホームページ作成中にイメ−ジ取り込んで表示する際に、画像イメージの入力時の色特性（スキャナやデジタルカメラの色特性）を考慮して、忠実に再現して表示することは実現されていなかった。
【００１１】
ＷＷＷ上の標準色空間が将来、ＨＤＴＶ等の色変換機能を持たない表示装置の特性に合わせて規定されて、その標準色空間のデータに変換しさえすれば、ＨＤＴＶ等に表示する場合に、画像イメージの入力特性を考慮して忠実再現が可能になる。
【００１２】
しかし、この場合、ホームページ作成中にガンマ補正等の色処理を実行して、ＰＣモニタ上の表示データを変更した場合、その結果をＨＤＴＶ等に表示する場合に、ＰＣモニタ上と同じ色を忠実再現できないという問題がある。
【００１３】
本発明は上述した課題に鑑みてなされたものであり、その目的とするところは、ＷＷＷ上で、ホームページを作成する際に、画像イメージの入力時の色特性（スキャナやデジタルカメラの特性）を考慮して、忠実に再現して表示すると共に、ホームページ上で色処理後の表示を、ＷＷＷ上の標準色空間を介して、ＨＤＴＶ等の色変換機能を持たない表示装置に忠実再現するための手段を提供することにある。
【００１４】
【課題を解決するための手段】
画像イメージ取り込み手段と、前記画像イメージの入力色特性情報を判別する判別手段と、前記判別結果に基づいて得られた入力色特性情報と、表示デバイスの色特性情報を用いてカラーマッチング処理を実行する手段と、前記処理結果を表示デバイスに表示する表示手段を有することを特徴とする。
【００１５】
また、前記カラーマッチング処理結果に対して色補正を実行する手段と、前記色補正結果に対して、表示デバイスの色特性情報とネットワーク上の標準色空間特性情報を用いてカラーマッチング処理を実行する手段と、前記カラーマッチング処理結果をもとに画像を生成する手段を有することを特徴とする。
【００１６】
【発明の実施の形態】
以下に、添付図面を参照して本発明の好適な実施例を詳細に説明する。
【００１７】
図２は本発明の一実施例によるＰＣの構成を示す図である。
【００１８】
図２のように、本実施例によるＰＣは、本体部１とモニタ２とＷＷＷ上との接続のための通信回線３から構成されている。
【００１９】
本体部１は、モニタ表示や画像処理に必要なＣＰＵ・ＶＲＡＭ等を備え、アプリケーションソフト等のソフトウェアの動作に必要な基本機能を提供するＯＳ（Ｏｐｅｒａｔｉｎｇ  Ｓｙｓｔｅｍ）１１、カラーマッチング処理等にアプリケーションやＯＳがワークとして使用するＲＡＭ１２、画像イメージデータが格納される画像データ格納部１３、モニタ２に表示の際に表示データを制御するモニタドライバ１４、通信回線３と本体１の接続のための通信Ｉ／Ｆ１５、カラーマッチング処理を実行するためのモジュールであるＣＭＭ（Ｃｏｌｏｒ  Ｍａｎａｇｅｍｅｎｔ  Ｍｏｄｕｌｅ）１６、ホ←ムページ作成アプリケーションソフト１７、モニタ２のモニタプロファイル及びＷＷＷ上の標準色空間プロファイルが格納されるプロファイル格納部１８、ホームページ作成アプリケーションソフト１７でガンマ補正等の色処理を行うための色補正処理部１９を有している。
【００２０】
図３は、ＷＷＷ上の標準色空間特性及びＰｒｏｆｉｌｅの構造を示している。
【００２１】
式Ａにおいて、ｒｅｄＴＲＣ、ｇｒｅｅｎＴＲＣ、ｂｌｕｅＴＲＣは、ガンマ特性の１次元ＬＵＴ（Ｌｏｏｋ  Ｕｐ  Ｔａｂｌｅ、入力８ｂｉｔ、出力８ｂｉｔ）を表しており、この特性はこの標準色空間のデータを表示するＨＤＴＶ等のターゲットモニタのガンマ特性が反映される。
【００２２】
Ｒ，Ｇ，Ｂは、各８ｂｉｔのデジタルデー夕であり、それに対して上記のガンマ特性が反映されて、Ｒ２，Ｇ２，Ｂ，となり、これが実際上記のターゲットモニタに表示されるモニタの特性となる。
【００２３】
式Ｂは、上記Ｒ２，Ｇ２，Ｂ，とＣＩＥＸＹＺ（ＣＩＥは国際照明委員会で定めた色空間）との関係式を示している。
【００２４】
θｉｊ（ｉ，ｊ＝１〜３）は、標準色空間のＲｅｄ、Ｇｒｅｅｎ、Ｂｌｕｅ、Ｗｈｉｔｅの色度値により求められる。
【００２５】
標準色空間の夕ーゲットモニタがＨＤＴＶであれば、ＣＣＩＲ  Ｒｅｃ．７０９で定められた色度値により定まる。
【００２６】
Ｐｒｏｆｉｌｅの構造は、ｈｅａｄｅｒ、Ｔａｇ  Ｔａｂｌｅ、ＴａｇｇｅｄＤａｔａの大きく３つに別れており、ｈｅａｄｅｒにはＰｒｏｆｉｌｅの管理情報が格納され、Ｔａｇ  ＴａｂｌｅにはＴａｇｇｅｄ  Ｄａｔａにアクセスするためのポインタ、Ｔａｇｇｅｄ  Ｄａｔａにカラーマッチングに必要な特性データが格納されている。
【００２７】
標準色空間の特性データは、図３に示すように、式Ｂ中のθｉｊ（ｉ，ｊ＝１〜３）が、ｒｅｄ  Ｃｏｌｏｒａｎｔ  Ｄａｔａ、ｇｒｅｅｎ  Ｃｏｌｏｒａｎｔ  Ｄａｔａ、ｂｌｕｅ  ｃｏｌｏｒａｎｔ  Ｄａｔａ部分に格納される。
【００２８】
また、式Ａ中のｒｅｄＴＲＣ、ｇｒｅｅｎＴＲＣ、ｂｌｕｅＴＲＣが、ｒｅｄＴＲＣ  Ｄａｔａ、ｇｒｅｅｎＴＲＣ  Ｄａｔａ、ｂｌｕｅＴＲＣ  Ｄａｔａにそれぞれ格納される。
【００２９】
図４は、モニタ２上に表示されたホームページ作成ソフト１７のＵＩ（Ｕｓｅｒ  Ｉｎｔｅｒｆａｃｅ）の一例を示している。
画面の一番上には、ホームページ作成アプリケーション名が表示され、その下にファイル、加工、挿入等、ユーザーが処理を選択するためのメニューが表示される。
【００３０】
図５は、図４の挿入メニューのプルダウンメニューの一例を示している。
【００３１】
ここでは、ホームページ作成アプリケーションソフト１７で画像イメージを取り込む場合の「画像イメージ」のメニューが表示されている。
【００３２】
図６は、図５のメニューを用いて複数（ここではＡとＢの２つ）の画像イメージを取り込んで表示した場合の画面表示を示している。
【００３３】
図７は、図４の加工メニューのプルダウンメニューの一例を示している。
【００３４】
ここでは、図５のメニューを用いて取り込んだ画像イメージデータに対して加工する場合の「ガンマ補正」のメニューが表示されている。
【００３５】
図８は、図７のメニューを用いて画像イメージＡに対してガンマ補正を行う場合の画面表示を示している。
【００３６】
図７のガンマ補正のメニューを選択すると、ガンマ補正のダイアログが表示され、Ｒｅｄ、Ｇｒｅｅｎ、Ｂｌｕｅのそれぞれに対してガンマカーブの調整が可能となる。
【００３７】
図９は、図８におけるＲｅｄ、Ｇｒｅｅｎ、Ｂｌｕｅのそれぞれに対してガンマカーブの調整について、詳細化したものである。
【００３８】
ここで、入力、出力が８ｂｉｔ（２５６段階）として、図中の○を矢印の方向に引っ張ることによりガンマカーブを変更して、変更前に比べて、画像イメージの見えを調整することができる。
【００３９】
図１０は、図４のファイルメニューのプルダウンメニューの一例を示している。
【００４０】
ここでは、ホームページ文書として保存する場合に選択する「保存」のメニューが表示されている。
【００４１】
図１１は、カラーマッチング処理を示している。
【００４２】
特開平０７−２２２−００９号公報における説明のように、カラーマネージメントシステムは、ＣＭＭ（Ｃｏｌｏｒ  Ｍａｎａｇｅｍｅｎｔ  Ｍｏｄｕｌｅ）とデバイスプロファイルで構成され、変換前のソースデバイスまたは入力色空間に対応したプロファイルと変換後のデステイネーションデバイスまたは出力色空間に対応したプロファイルを用いてカラーマッチング処理を行う。
【００４３】
前者のプロファイルをソースプロファイル、後者のプロファイルをデステイネーションデバイスプロファイルと呼ぶ。
【００４４】
例えば、スキャナからモニタヘのカラーマッチングの場合、スキャナ色空間（スキャナＲＧＢ）からモニタ色空間（プリンタＣＭＹＫ）への変換がＣＭＭにより行われる。
【００４５】
図１２〜図１３は、ホームページ作成アプリケーションソフトで、画像イメージを読み込んで、その画像イメージの入力色特性及びモニタ２の色特性を考慮してカラーマッチング処理を行い、モニタ２に表示する場合の処理のフロチャートを示している。
【００４６】
ステップＳｌ００で、図４の挿入のプルダウンメニューとして図５の画像イメージを選択してステップＳｌ０ｌに進む。
【００４７】
ステップＳ１０ｌで、画像イメージとして画像Ａを選択してホームページアプリケーションソフト中に取り込み、Ｓｌ０２へ進む。
【００４８】
ステップＳｌ０２で、取り込んだ画像Ａに入力デバイスのプロファイルが格納されているかどうかチェックする。
【００４９】
ここで、格納されている場合には、ステップＳ１０３に進んで、格納されたプロファイルを取り出してステップＳｌ０５へ進む。
【００５０】
ステップＳ１０２で、格納されていない場合には、ステップＳ１０４に進んで、プロファイル格納部１８からＷＷＷの標準色空間プロファイルを取り出してステップＳ１０５へ進む。
【００５１】
ステップＳ１０５で、取り出したプロファイルをソースプロファイルとして保持して、ステップＳ１０６に進む。
【００５２】
ステップＳ１０６でプロファイル格納部１８からモニタ２のモニタプロファイルを取り出してステップＳ１０７へ進む。
【００５３】
ステップＳ１０７で、取り出したモニタプロファイルをデステイネーションプロファイルとして保持して、ステップＳ１０８に進む。
【００５４】
ステップＳ１０８でＣＭＭ１６をロードしてステップＳ１０９に進む。
【００５５】
ステップＳ１０９で、ステップＳ１０５及びＳ１０７で保持されたソースプロファイルとデステイネーションプロファイルをＣＭＭ１６にセットしてステップＳ１ｌ０に進む。
【００５６】
ステップＳｌｌ０で、ステップＳ１０ｌで取り込まれた画像イメージデータに対してＣＭＭ１６を用いてカラーマッチング処理を行い、ステップＳｌｌｌに進む。
【００５７】
ステップＳｌｌｌで、ステップＳ１１０でカラーマッチング処理されたデータをモニタドライバ１４に渡してステップＳ１１２に進む。
【００５８】
ステップＳ１１２でモニタドライバ１４を通じてモニタ２に表示して処理を終了する。
【００５９】
このように、ホームページ作成アプリケーションソフトで、画像イメージを読み込んで、その画像イメージの入力色特性（スキャナやデジタルカメラの色特性またはＷＷＷの標準色空間特性）を考慮して、忠実に再現してモニタ２に表示することが可能である。
【００６０】
図１４〜１６は、ホームページ作成アプリケーションソフトで、画像イメージを読み込んで、その画像イメージの入力色特性及びモニタ２の色特性を考慮してカラーマッチング処理を行ってモニタ２に表示した画像イメージに対して、ガンマ補正の色補正処理を施した場合に、その補正結果を考慮してＷＷＷの標準色空間データとして保存する場合の処理のフローチャートを示している。
【００６１】
ステップＳ２００で、図４の加工のメニューを選択してステップＳ２０１に進む。
【００６２】
ステップＳ２０１で、図７の加工のプルダウンメニューとしてガンマ補正を選択してステップＳ２０２に進む。
【００６３】
ステップＳ２０２で、図８のガンマ補正のダイアログ上で、Ｒｅｄ、Ｇｒｅｅｎ，Ｂｌｕｅの各ガンマカーブを調整して、Ｓ２０３へ進む。
【００６４】
ステップＳ２０３で、ステップＳ２０２で設定したガンマカーブをもとに、ステップＳ１１１のマッチング処理がなされたデータに対してガンマ補正処理を実行して、Ｓ２０４へ進む。
【００６５】
ステップＳ２０４で、ガンマ補正処理がされたデータをモニタドライバ１４を介してモニタ２に表示して、Ｓ２０５へ進む。
【００６６】
ステップＳ２０５で、表示された画像イメージの色が所望の色かどうかチェックする。
【００６７】
ここで、所望の色でない場合には、ステップＳ２０２に戻る。
【００６８】
所望の色の場合は、Ｓ２０６へ進む。
【００６９】
ステップＳ２０６でプロファイル格納部１８からモニタ２のモニタプロファイルを取り出してステップＳ２０７へ進む。
【００７０】
ステップＳ２０７で、取り出したモニタプロファイルをソースプロファイルとして保持して、ステップＳ２０８に進む。
【００７１】
ステップＳ２０８で、プロファイル格納部１８からＷＷＷの標準色空間プロファイルを取り出してステップＳ２０９へ進む。
【００７２】
ステップＳ２０９で、取り出したプロファイルをデステイネーションプロファイルとして保持して、ステップＳ２１０に進む。
【００７３】
ステップＳ２１０でＣＭＭ１６をロードしてステップＳ２１１に進む。
【００７４】
ステップＳ２１１で、ステップＳ２０７及びＳ２０９で保持されたソースプロファイルとデステイネーションプロファイルをＣＭＭ１６にセットしてステップＳ２１２に進む。
【００７５】
ステップＳ２１２で、ステップＳ２０３でガンマ処理されたデー夕に対してＣＭＭ１６を用いてカラーマッチング処理を行い、ステップＳ２１３に進む。
【００７６】
ステップＳ２１３で、図４のファイルのメニューを選択してステップＳ２１４に進む。
【００７７】
ステップＳ２１４で、図１０のファイルのプルダウンメニューとして保存を選択してステップＳ２１５に進む。
【００７８】
ステップＳ２１５で、ステップＳ２１２でカラーマッチング処理されたデータをホームページ文書に保存して処理を終了する。
【００７９】
このように、ホームページ作成アプリケーションソフトで、画像イメージを読み込んで、その画像イメージの入力色特性及びモニタ２の色特性を考慮してカラーマッチング処理を行ってモニタ２に表示した画像イメージに対して、ガンマ補正の色補正処理を施した場合に、その補正結果を考慮してＷＷＷの標準色空間デー夕として保存することが可能である。
【００８０】
【発明の効果】
ホームページ作成中にイメージ取り込んで表示する際に、画像イメージの入力時の特性（スキャナやデジタルカメラの特性）を考慮して、忠実に再現して表示することが可能になる。
【００８１】
ＨＤＴＶ等の色変換機能を持たない表示装置の特性に合わせて規定されたＷＷＷの標準色空間が使用される場合に、ホームページ作成中にガンマ補正等の色処理を実行して、ＰＣモニタ上の表示データを変更した場合でも、その結果をＷＷＷを介してＨＤＴＶ等に、ＰＣモニタ上と同じ色を再現表示することができる。
【図面の簡単な説明】
【図１】ＷＷＷ上でのホームページ閲覧するための仕組みの一例。
【図２】本発明の一実施例によるＰＣの構成を示す図。
【図３】ＷＷＷ上の標準色空間特性及びＰｒｏｆｉｌｅの構造を示す図。
【図４】モニタ２上に表示されたホームページ作成ソフト１７のＵＩの一例。
【図５】図４の挿入メニューのプルダウンメニューの一例。
【図６】図５のメニューを用いて複数の画像イメージを取り込んで表示した場合の画面表示の一例。
【図７】図４の加工メニューのプルダウンメニューの一例。
【図８】図７のメニューを用いて画像イメージＡに対してガンマ補正を行う場合の画面表示を示す図。
【図９】図８におけるＲｅｄ、Ｇｒｅｅｎ、Ｂｌｕｅのそれぞれに対してガンマカーブの調整について、詳細化した図。
【図１０】図４のファイルメニューのプルダウンメニューの一例。
【図１１】カラーマッチング処理を示す図。
【図１２】ホームページ作成アプリケーションソフトで、画像イメージを読み込んで、その画像イメージの入力色特性及びモニタ２の色特性を考慮してカラーマッチング処理を行い、モニタ２に表示する場合の処理のフローチャート。
【図１３】ホームページ作成アプリケーションソフトで、画像イメージを読み込んで、その画像イメージの入力色特性及びモニタ２の色特性を考慮してカラーマッチング処理を行い、モニタ２に表示する場合の処理のフローチャート。
【図１４】ホームページ作成アプリケーションソフトで、画像イメージを読み込んで、その画像イメージの入力色特性及びモニタ２の色特性を考慮してカラーマッチング処理を行ってモニタ２に表示した画像イメージに対して、ガンマ補正の色補正処理を施した場合に、その補正結果を考慮してＷＷＷの標準色空間データとして保存する場合の処理のフローチャート。
【図１５】ホームページ作成アプリケーションソフトで、画像イメージを読み込んで、その画像イメージの入力色特性及びモニタ２の色特性を考慮してカラーマッチング処理を行ってモニタ２に表示した画像イメージに対して、ガンマ補正の色補正処理を施した場合に、その補正結果を考慮してＷＷＷの標準色空間データとして保存する場合の処理のフローチャート。
【図１６】ホームページ作成アプリケーションソフトで、画像イメージを読み込んで、その画像イメージの入力色特性及びモニタ２の色特性を考慮してカラーマッチング処理を行ってモニタ２に表示した画像イメージに対して、ガンマ補正の色補正処理を施した場合に、その補正結果を考慮してＷＷＷの標準色空間データとして保存する場合の処理のフローチャート。
【符号の説明】
１  ＰＣ本体部
２  モニタ
３  通信回線
１１  ＯＳ
１２  ＲＡＭ
１３  画像データ格納部
１４  モニタドライバ
１５  通信Ｉ／Ｆ
１６  ＣＭＭ
１７  ホームページ作成アプリケーションソフト
１８  プロファイル格納部
１９  色補正処理部
【図１】
2004192386.tif 000003
【図２】
2004192386.tif 000004
【図３】
2004192386.tif 000005
【図４】
2004192386.tif 000006
【図５】
2004192386.tif 000007
【図６】
2004192386.tif 000008
【図７】
2004192386.tif 000009
【図８】
2004192386.tif 000010
【図９】
2004192386.tif 000011
【図１０】
2004192386.tif 000012
【図１１】
2004192386.tif 000013
【図１２】
2004192386.tif 000014
【図１３】
2004192386.tif 000015
【図１４】
2004192386.tif 000016
【図１５】
2004192386.tif 000017
【図１６】
2004192386.tif 000018